(57)【要約】      （修正有）【課題】デジタル放送受信機において、１２セグ放送信号と１セグ放送信号とデジタルラジオ放送信号を効率的に処理することにより、受信機能の低下を抑えつつ、部品点数の削減による低コスト化を実現する。【解決手段】デジタル放送受信機において、１２セグ放送選択状態のとき、第１処理系統で１２セグ放送の信号処理が行われ、第２処理系統で状況に応じて１セグ放送と道路交通情報を含むデジタルラジオ放送との信号が選択的に行われるように制御し、１セグ放送選択状態のとき、第１処理系統と第２処理系統で１セグ放送と道路交通情報を含むデジタルラジオ放送の信号処理が行われるように制御する。【選択図】図１
2010268107.tif 000002
【特許請求の範囲】
【請求項１】
デジタル放送信号を受信するデジタル放送受信部と、
該デジタル放送信号に含まれる12セグ放送信号と1セグ放送信号とデジタルラジオ放送信号とを選択的に信号処理を行う第１処理系統と、
該デジタル放送信号に含まれる１セグ放送信号とデジタルラジオ放送信号とを選択的に信号処理を行う第２処理系統と、
前記第１処理系統と第２処理系統の動作を制御する制御手段を有し、
前記制御手段は、１２セグ放送選択状態のとき、前記第１処理系統で１２セグ放送の信号処理が行われ、前記第２処理系統で状況に応じて1セグ放送と道路交通情報を含むデジタルラジオ放送との信号処理が選択的に行われるように制御し、
１セグ放送選択状態のとき、前記第１処理系統と前記第２処理系統で１セグ放送と道路交通情報を含むデジタルラジオ放送の信号処理が行われるように制御することを特徴とするデジタル放送受信処理装置。
【請求項２】
前記制御手段は、デジタルラジオ放送選択状態のとき、前記第1処理系統と前記第2処理系統の両方でデジタルラジオ放送の信号処理が行われるように制御し、前記第１又は第２処理系統で該デジタルラジオ放送に含まれる道路交通情報の取得がされるように制御することを特徴とする請求項１に記載のデジタル放送受信処理装置。
【請求項３】
前記制御手段は、記憶している道路交通情報の取得時点からの経過時間が所定時間を超える場合は道路交通情報を含むデジタルラジオ放送の受信を行われるように制御することを特徴とする請求項１、請求項２のいずれかに記載のデジタル放送受信処理装置。
【請求項４】
前記制御手段は、記憶している道路交通情報の取得時点からの経過時間が前記所定時間以内の場合は道路交通情報を含むデジタルラジオ放送の受信を行われないように制御することを特徴とする請求項１から請求項３のいずれかに記載のデジタル放送受信処理装置。
【請求項５】
デジタル放送信号に含まれる緊急放送を検知する緊急放送検知部を備え、
前記制御手段は、該１２セグ放送又は該１セグ放送視聴中に前記緊急放送検知部により緊急放送を検知されるとデジタルラジオ放送選択状態に移行されるように制御することを特徴とする請求項１から請求項４のいずれかに記載のデジタル放送受信処理装置。  
【発明の詳細な説明】
【技術分野】
【０００１】
本発明は、デジタル放送受信機、特に１２セグ放送、１セグ放送を受信できるデジタル放送受信機に関する。
【背景技術】
【０００２】
デジタルラジオ（音声）放送は、現行アナログラジオ放送と同様に通常の番組と道路交通情報などを提供している放送であり、デジタルテレビ放送と共通の放送方式のＩＳＤＢ−Ｔ（Integrated Services Digital Broadcasting - Terrestrial）を利用して配信されている。尚、デジタルラジオ放送は、音声だけでなく、文字・静止画・簡易動画を含むデータ放送も行われている。
従来のデジタル放送受信機では、放送波の選択受信を行うチューナ及びデジタル放送波の変調波であるＯＦＤＭ変調信号を復調するＯＦＤＭ復調部をそれぞれ１つずつ備え受信している。そしてＯＦＥＭ復調部で得られた１３セグメントデータから、１２セグメントテレビデータと１セグメントテレビデータを分離し、受信状態により出力信号を１２セグメントテレビ放送（以降、１２セグ放送と称する）と１セグメントテレビ放送（以降、１セグ放送と称する）を切替えながら視聴することが可能になっている。
【０００３】
デジタル放送は大容量のデータを伝送できる等の特徴を生かして、映像／音声データ以外にも各種データを送信している。例えば、特許文献１にも示されているように放送局は、他局を含む全てのTS（Transport Stream）の番組情報を専用ＴＳで送出し、受信機に専用の選局・復調・デコード部を設けて、番組受信と平行して処理し、TSに含まれるEPG（Electric Program Guide）、所謂電子番組表を作成、表示することが開示されている。
【先行技術文献】
【特許文献】
【０００４】
【特許文献１】特開２０００−２４４８３２
【発明の概要】
【発明が解決しようとする課題】
【０００５】
このように従来のデジタル放送受信機は、ＥＰＧの表示、１２セグ放送と１セグ放送の電波状況に応じた自動切替え等、利便性等を向上させた様々な機能が実現されている。しかし、高機能化を図ると部品点数の増加により、コストが高くなる問題がある。例えば、デジタルラジオ（音声）放送に含まれる道路交通情報（以降、ＶＩＣＳと称する）を得ようとすると、デジタルラジオ放送については、デジタルテレビ放送とは異なる周波数帯域であるため、別の受信処理系統が必要となる。また、１２セグ放送、１セグ放送又は、デジタルラジオ放送を視聴しながらＶＩＣＳ機能を持たせようとすると、１２セグ放送と１セグ放送とデジタルラジオ放送とＶＩＣＳ放送の受信系統を独立して設置する必要があり部品点数が増加し、部品コストが高くなってしまう問題があった。
【０００６】
本発明は、このような問題を解決するためになされたもので、１２セグ放送信号と１セグ放送信号とデジタルラジオ放送信号を効率的に処理することにより、必要な時に必要とする情報が得られないと言った受信機能の低下を抑えつつ、部品点数の削減による低コスト化を実現することを目的としている。
【課題を解決するための手段】
【０００７】
上記目的を達成するため、本発明のデジタル音声放送受信機は、
デジタル放送信号を受信するデジタル放送受信部と、
該デジタル放送信号に含まれる12セグ放送信号と1セグ放送信号とデジタルラジオ放送信号とを選択的に信号処理を行う第１処理系統と、
該デジタル放送信号に含まれる１セグ放送信号とデジタルラジオ放送信号とを選択的に信号処理を行う第２処理系統と、
前記第１処理系統と第２処理系統の動作を制御する制御手段を有し、
前記制御手段は、
１２セグ放送選択状態のとき、前記第１処理系統で１２セグ放送の信号処理が行われ、前記第２処理系統で状況に応じて1セグ放送と道路交通情報を含むデジタルラジオ放送との信号処理が選択的に行われるように制御し、
1セグ放送選択状態のとき、前記第１処理系統と前記第２処理系統で１セグ放送と道路交通情報を含むデジタルラジオ放送の信号処理が行われるように制御することを特徴とする。
【０００８】
また、前記制御手段は、
デジタルラジオ放送選択状態のとき、前記第1処理系統と前記第2処理系統の両方でデジタルラジオ放送の信号処理が行われるように制御し、前記第１又は第２処理系統で該デジタルラジオ放送に含まれる道路交通情報の取得がされるように制御することを特徴とする。
【０００９】
また、前記制御手段は、
記憶している道路交通情報の取得時点からの経過時間が所定時間を超える場合は道路交通情報を含むデジタルラジオ放送の受信を行われるように制御することを特徴とする。
【００１０】
また、前記制御手段は、
記憶している道路交通情報の取得時点からの経過時間が前記所定時間以内の場合は道路交通情報を含むデジタルラジオ放送の受信を行われないように制御することを特徴とする。
【００１１】
また、デジタル放送信号に含まれる緊急放送を検知する緊急放送検知部を備え、
前記制御手段は、
該１２セグ放送又は該１セグ放送視聴中に前記緊急放送検知部により緊急放送を検知されるとデジタルラジオ放送選択状態に移行されるように制御することを特徴とする。
【発明の効果】
【００１２】
本発明は、上記構成により、利用者により選局されたコンテンツ（１２セグ放送または１セグ放送、あるいはデジタルラジオ放送）を出力しながら、その必要性に応じて、第１、第２処理系統のどちらかでデジタルラジオ放送を受信して、例えば道路交通情報を取得することができ、さらに１２セグ放送受信時に１セグ放送を受信することができるので、電波状況悪化の際に１２セグから１セグへの切替えが円滑に行える。
尚、１２セグ放送視聴時において、１セグ放送受信は受信状態悪化時に再生を行う処理で、デジタルラジオ放送信号は道路交通情報の取得であって、両者ともある条件が成立した時に行えば良い処理であるため、条件に応じた時分割動作を行えば略要求が満たされる。
また、第１処理系統、および第２処理系統では、１２セグ放送または１セグ放送、あるいはデジタルラジオ放送の処理に関して、共通化できる部分、例えば放送波同調受信部、１セグ放送・デジタルラジオ放送デコーダを兼用できるので、１２セグ放送、１セグ放送、デジタルラジオ放送毎に独立した処理系統を設置するより、部品点数を削減でき、低コスト化を図ることができる。
また、道路交通情報の周期性に基づき道路交通情報を取得することで常に新しい情報を保持することが可能になる。
また、道路交通情報の周期性に基づき道路交通情報の取得が不要なときは、道路交通情報の取得を停止することで、消費電流を抑えることや、それにより空いた受信系統をうまく切り替えて活用することで道路交通情報以外の他のコンテンツ（１セグ放送等）を受信することができ、また受信準備を行うことで放送選択状態の迅速な移行も行うことができ、受信動作の無駄を無くす（出力開始までの待ち時間の短縮）ことが可能になる。
また、緊急放送を検知したときは、自動でデジタルラジオ放送受信に移行するので、例えば利用者はディスプレイを注視することなく緊急放送内容を知ることができる。
【図面の簡単な説明】
【００１３】
【図１】本発明に係る一実施例構成図。
【図２】メインルーチンを示すフローチャート。
【図３】１２セグ放送視聴処理ａを示すフローチャート。
【図４】１セグ放送視聴処理ｂを示すフローチャート。
【図５】ラジオ放送視聴処理ｃを示すフローチャート。
【図６】緊急放送受信時に係る緊急放送処理を示すフローチャート。
【発明を実施するための最良の形態】
【００１４】
以下、本発明のデジタル放送受信装置を実施するための最良の形態について、図面を参照して説明する。
【実施例】
【００１５】
図１を用いて、本発明の一実施例の形態におけるデジタル音声放送受信機の構成を説明する。
１は、放送局からの送信電波を受け、その電気信号を出力するアンテナで、例えば自動車のガラスに設けられた導電パターンにより形成される。
【００１６】
２、３は、アンテナ１からの電気信号を入力し、所望の周波数帯の選局信号を出力するフロントエンド部で、例えば高周波増幅回路とスーパーヘテロダイン選局回路により構成される。フロントエンド部２、３の高周波増幅回路は、アンテナからの電気信号をデジタルテレビ放送とデジタルラジオ放送の周波数帯域を良好な特性で増幅する回路構成となっている。フロントエンド部２、３の選局回路は、局部発振器とミキサと中間周波フィルタを備え、局部発振器は制御部１７からの制御信号を受け、所望の放送周波数信号を中間周波数に変換する周波数の局部発振信号を出力する。ミキサは局部発振信号と高周波増幅回路からの電気信号とを混合することで所望の放送波を中間周波数に変換し、その中間周波数成分のみが中間周波フィルタを通過することにより、所望の放送信号が周波数変換された中間周波数信号が出力されることになる。
【００１７】
４、５は、フロントエンド部２、３からの選局信号を入力し、入力した信号のレベルを示すレベル信号を出力する電波強度検知部で、例えば選局信号を包絡線検波回路等で包絡線検波し、その包絡線検波信号を低周波フィルタでフィルタリングすることで、電波強度を検出することができる。６、７は、フロントエンド部２、３からの選局信号を入力し、デジタル信号に復調して出力するデジタル復調部で、ＯＦＤＭ変調信号を復調するＯＦＤＭ復調回路により構成される。８、９は、デジタル復調部６、７からのデジタル信号を入力し、音声信号や映像信号が所定形式でエンコードされたデジタル信号をデコードし、音声信号や映像信号を出力するデコーダで、例えば論理回路、あるいは高速演算処理器を用いたソフトウェアでの処理で実現される。尚、当該所定形式として、映像信号に対し１２セグ放送はＭＰＥＧ−２方式、１セグ放送はＭＰＥＧ−４ＡＶＣ／Ｈ．２６４方式が採用されている。音声信号に対し、１２セグ放送、１セグ放送、デジタルラジオ放送共にＭＰＥＧ−２ＡＡＣ方式が採用されている。
【００１８】
１０、１１は、デコーダ８、９により出力された音声信号、映像信号を入力し、音質、画質、ボリューム等を加工した音声信号、映像信号を出力する映像・音声信号処理部で、例えばデジタルシグナルプロセッサ等で構成される。また、音声信号はＤ／Ａ変換器によりアナログ信号に変換されて出力され、映像信号はディスプレイ１４の入力形式に応じた信号形式、例えばＲＧＢ信号に変換されて出力される。１２は、映像・音声処理部１０、１１からの加工した音声信号、映像信号を入力し、制御部１７により選択された映像・音声処理部１０、１１のどちらか一方の音声及び映像信号を出力するセレクタで、リレー等の機械式切替えスイッチや半導体スイッチにより構成される。
【００１９】
２３は、セレクタ１２からの音声信号とナビゲーション制御部からの音声信号を入力し、ナビゲーション案内音声とデジタル放送音声を選択して、あるいは重畳して音声信号を出力する音声処理部で、例えばミキサやスイッチング回路、あるいは音声処理ＡＳＩＣや、ＤＳＰ等の高速演算回路、メモリ等により実現される。２４は、セレクタ１２からの映像信号とナビゲーション制御部からのナビゲーション映像信号を入力し、映像信号とナビゲーション映像信号を選択して、あるいは重畳・合成して映像信号を出力する映像処理部で、例えば論理回路、専用のロジック回路を持つ画像処理ＡＳＩＣや、高速演算回路、メモリ等により実現される。１３は、音声処理部２３からの音声信号を入力し、音声出力するスピーカであり、前段にはパワーアンプが設けられ音声出力に必要なレベルに音声信号が増幅されている。
【００２０】
１４は、映像処理部２４からの映像信号を入力し、映像を表示するディスプレイで、例えば液晶表示装置等で構成される。１５は、装置の使用者が各種操作を行うための操作部で、例えば、釦、タッチパネル、音声入力、リモコン等により構成される。１６は、緊急放送の有無を検出する緊急放送検出部で、例えば、デジタル信号中の緊急放送ビットを監視することで緊急放送か否かを検出する。１８は、自車の速度を検知する車速センサで、例えば自動車の車軸に設けられた磁気センサ等により構成され、車軸の回転に同期した信号を出力する回転検出センサにより構成される。１９は、現在位置の経度及び緯度を検出し、検出した情報を制御部１７に出力する位置検出部である。位置検出部１９は、例えばＧＰＳ（Global Positioning System）、ジャイロセンサ、車速度センサ等により構成される。
【００２１】
２０は、デジタル放送受信の制御プログラム等の各種データを記憶する記憶部で、例えばＨＤＤ（Hard Disk Drive）や書き換え可能なフラシュメモリ等により構成される。１７は、デジタル放送受信装置の各部からの信号を受け、そしてデジタル放送受信装置の各部を統括的に制御する制御部で、例えばマイクロコンピュータ（マイコン）により構成される。２１は、地図情報やナビゲーションプログラムなどの各種データを記憶するナビゲーション記憶部で、例えばＨＤＤ等や書換え可能なフラッシュメモリ等により構成される。
【００２２】
２２は、制御部１７からの制御信号を受けて協調動作を行い、そして音声処理部２３や映像信号処理部２４に対するナビゲーション関連の映像出力、音声出力を制御するナビゲーション制御部で、例えばマイクロコンピュータにより構成される。またナビゲーション制御部は、ナビゲーション記憶部２１に記憶されナビゲーションプログラムに従って処理を行い、ナビゲーション記憶部２１に記憶された地図情報や、そして位置検出部１９からの位置情報や車速センサ１８からの車両速度情報に基づき経路探索処理や案内処理等を行いナビゲーション機能を実現する。
【００２３】
尚、第１処理系統は、フロントエンド部２、電波強度検出部４、デジタル復調部６、デコーダ８、映像・音声信号処理部１０とで構成されており、第２処理系統は、フロントエンド部３、電波強度検出部５、デジタル復調部７、デコーダ９、映像・音声信号処理部１１とで構成されている。尚、第１処理系統は、その構成要素が１２セグ放送、１セグ放送、デジタルラジオ放送に対応した選択受信機能、復調機能、デコード機能を有しており、これら放送を受信することができ、また、第２系統は１セグ放送、デジタルラジオ放送に対応した選択受信機能、復調機能、デコード機能を有しており、これら放送を受信することができる。
【００２４】
デジタルラジオ放送は、８セグメントを３セグメントまたは１セグメントによる放送がされており、ＶＩＣＳ放送は１セグメントで放送されている。また、デジタルテレビ放送と放送方式も共通であるため、デジタルテレビ放送の１セグメント放送とデジタルラジオ放送の１セグメント放送の復調、デコード処理構成要素については兼用し、また選択受信機能についてはその受信帯域を両放送を含む範囲に広げている。
【００２５】
次に本発明の一実施例のデジタル放送受信機における動作説明を行う。
〔１２セグ放送視聴モードＡ〕この１２セグ放送視聴モードＡでは、第１処理系統は１２セグ放送受信状態となる。具体的には、アンテナ１で受けた放送局からの送信電波（放送波）の内、利用者により選択されている番組の放送波がフロントエンド部２で選局され、その選局信号が出力される。次に、選局信号が電波強度検知部４に入力され、選局信号のレベルを示すレベル信号が制御部１７に出力される。また、フロントエンド部２からの選局信号はデジタル復調部６でデジタル信号に復調され、デコーダ８で１２セグ放送の信号が音声信号と映像信号にデコードされてセレクタ１２に入力される。
【００２６】
また、第２処理系統は、デジタルラジオのＶＩＣＳ放送受信状態となる。具体的には、アンテナ１で受けた放送局からの送信電波（放送波）の内、ＶＩＣＳ放送の周波数の放送波がフロントエンド部３で選局され、その選局信号が出力される。フロントエンド部３からの選局信号はデジタル復調部７でデジタル信号に復調され、デコーダ９でデジタルラジオ放送の信号がデコードされ、そのデコードされたデータの内ＶＩＣＳデータが制御部１７に出力される。そして、制御部１７からナビゲーション制御部に出力されてナビゲーション機能における交通案内情報として、例えば地図画面の渋滞道路の色を変える、渋滞情報を文字表示する等の形態でディスプレイに表示されたり、音声情報として出力される。
【００２７】
セレクタ１２では、第１処理系統から出力された映像信号と音声信号が選択されディスプレイとスピーカに出力される。尚、ＶＩＣＳ放送の周波数は予め決められている（ＶＩＣＳを提供している放送局は決まっている）ので、その周波数は記憶部２０に記憶されている。また、新たにＶＩＣＳを提供することになった放送局については、その情報を放送波に含まれる情報やインターネット等を介して入手する方法や使用者によるマニュアル入力により記憶部２０に記憶することになる。
従って、このモードでは、１２セグ放送を視聴しながら、ＶＩＣＳ情報を得て最新の交通情報を地図上に表示すること等が可能となる。
【００２８】
〔１２セグ放送視聴モードＢ〕この１２セグ放送視聴モードＢでは、第１処理系統は１２セグ放送受信状態となる。アンテナ１で受けた放送局からの送信電波（放送波）の内、利用者により選択されている番組の放送波がフロントエンド部２で選局され、その選局信号が出力される。次に、選局信号が電波強度検知部４に入力され、選局信号のレベルを示すレベル信号が制御部１７に出力される。また、フロントエンド部２からの選局信号はデジタル復調部６でデジタル信号に復調され、デコーダ８で１２セグ放送の信号が音声信号と映像信号にデコードされてセレクタ１２に入力される。
【００２９】
また、第２処理系統は、１セグ放送表示状態となる。具体的には、アンテナ１で受けた放送局からの送信電波（放送波）の内、利用者により選択されている番組の放送波がフロントエンド部３で選局され、その選局信号が出力される。フロントエンド部３からの選局信号はデジタル復調部７でデジタル信号に復調され、デコーダ９で１セグ放送の信号が音声信号と映像信号にデコードされてセレクタ１２に入力される。セレクタ１２では、第１処理系統から出力された映像信号と音声信号が選択されディスプレイとスピーカに出力される。尚、このモードは１２セグ放送の受信状態が悪化した場合に１セグ放送の受信画像・音声を出力する（セレクタ１２切替）ことになるので、両処理系統の受信周波数は同一となる。従って、このモードでは、１２セグ放送と１セグ放送の視聴ができる状態のため、電波状況に応じた１２セグ放送と１セグ放送の視聴切り替えを素早く行うことが可能となる。
【００３０】
〔１セグ放送視聴モードＣ〕この１セグ放送視聴モードＣでは、第１処理系統は１セグ放送受信状態となる。アンテナ１で受けた放送局からの送信電波（放送波）の内、利用者により選択されている番組の放送波がフロントエンド部２で選局され、その選局信号が出力される。次に、選局信号が電波強度検知部４に入力され、選局信号のレベルを示すレベル信号が制御部１７に出力される。また、フロントエンド部２からの選局信号はデジタル復調部６でデジタル信号に復調され、デコーダ８で１セグ放送の信号が音声信号と映像信号にデコードされてセレクタ１２に入力される。
【００３１】
また、第２処理系統はデジタルラジオのＶＩＣＳ放送受信状態となる。アンテナ１で受けた放送局からの送信電波（放送波）の内、ＶＩＣＳ放送の周波数の放送波がフロントエンド部３で選局され、その選局信号が出力される。フロントエンド部３からの選局信号はデジタル復調部７でデジタル信号に復調され、デコーダ９でデジタルラジオ放送の信号がデコードされ、そのデコードされたデータの内ＶＩＣＳデータが制御部１７に出力される。そして、制御部１７からナビゲーション制御部に出力されてでナビゲーション機能における交通案内情報として、例えば地図画面の渋滞道路の色を変える、渋滞情報を文字表示する等の形態でディスプレイに表示されたり、音声情報として出力される。セレクタ１２では、第１処理系統から出力された映像信号と音声信号が選択されディスプレイとスピーカに出力される。従って、このモードでは、１セグ放送を視聴しながら、ＶＩＣＳ情報を得て最新の交通情報を地図上に表示すること等が可能となる。
【００３２】
〔１セグ放送視聴モードＤ〕この１セグ放送視聴モードＤでは、第１処理系統はデジタルラジオのＶＩＣＳ放送受信状態となる。アンテナ１で受けた放送局からの送信電波（放送波）の内、ＶＩＣＳ放送の周波数の放送波がフロントエンド部２で選局され、その選局信号が出力される。フロントエンド部２からの選局信号はデジタル復調部６でデジタル信号に復調され、デコーダ８でデジタルラジオ放送の信号がデコードされ、そのデコードされたデータの内ＶＩＣＳデータが制御部１７に出力される。そして、制御部１７からナビゲーション制御部に出力されてナビゲーション機能における交通案内情報として、例えば地図画面の渋滞道路の色を変える、渋滞情報を文字表示する等の形態でディスプレイに表示されたり、音声情報として出力される。
【００３３】
また、第２処理系統は、１セグ放送受信状態となる。アンテナ１で受けた放送局からの送信電波（放送波）の内、利用者により選択されている番組の放送波がフロントエンド部３で選局され、その選局信号が出力される。次に、選局信号が電波強度検知部５に入力され、選局信号のレベルを示すレベル信号が制御部１７に出力される。また、フロントエンド部３からの選局信号はデジタル復調部７でデジタル信号に復調され、デコーダ９で１セグ放送の信号が音声信号と映像信号にデコードされてセレクタ１２に入力される。また、セレクタ１２では、第２処理系統から入力された映像信号と音声信号をディスプレイとスピーカにそれぞれ入力する。従って、このモードでも、１セグ放送を視聴しながら、ＶＩＣＳ情報を得て最新の交通情報を地図上に表示すること等が可能となる。
【００３４】
〔デジタルラジオ放送視聴モードＥ〕このデジタル放送視聴モードＥでは、第１処理系統はデジタルラジオ放送受信状態となる。アンテナ１で受けた放送局からの送信電波（放送波）の内、利用者により選択されている番組の放送波がフロントエンド部２で選局され、その選局信号が出力される。次に、選局信号が電波強度検知部４に入力され、選局信号のレベルを示すレベル信号が制御部１７に出力される。また、フロントエンド部２からの選局信号はデジタル復調部６でデジタル信号に復調され、デコーダ８でデジタルラジオ放送の信号が音声信号と映像信号にデコードされてセレクタ１２に入力される。
【００３５】
また、第２処理系統はデジタルラジオのＶＩＣＳ放送受信状態となる。アンテナ１で受けた放送局からの送信電波（放送波）の内、ＶＩＣＳ放送の周波数の放送波がフロントエンド部３で選局され、その選局信号が出力される。フロントエンド部３からの選局信号はデジタル復調部７でデジタル信号に復調され、デコーダ９でデジタルラジオ放送の信号がデコードされ、そのデコードされたデータの内ＶＩＣＳデータが制御部１７に出力される。そして、制御部１７からナビゲーション制御部に出力されてナビゲーション機能における交通案内情報として、例えば地図画面の渋滞道路の色を変える、渋滞情報を文字表示する等の形態でディスプレイに表示されたり、音声情報として出力される。セレクタ１２では、第１処理系統から出力された映像信号（データ放送の文字・静止画・簡易動画）と音声信号が選択されディスプレイとスピーカに出力される。従って、このモードでは、デジタルラジオ放送（ＶＩＣＳ情報非放送）を視聴しながら、ＶＩＣＳ情報を得て最新の交通情報を地図上に表示すること等が可能となる。
【００３６】
〔デジタルラジオ放送視聴モードＦ〕このデジタル放送視聴モードＦでは、第１処理系統はデジタルラジオのＶＩＣＳ放送受信状態となる。アンテナ１で受けた放送局からの送信電波（放送波）の内、ＶＩＣＳ放送の周波数の放送波がフロントエンド部３で選局され、その選局信号が出力される。フロントエンド部３からの選局信号はデジタル復調部７でデジタル信号に復調され、デコーダ９でデジタルラジオ放送の信号がデコードされ、そのデコードされたデータの内ＶＩＣＳデータが制御部１７に出力される。そして、制御部１７からナビゲーション制御部に出力されてナビゲーション機能における交通案内情報として、例えば地図画面の渋滞道路の色を変える、渋滞情報を文字表示する等の形態でディスプレイに表示されたり、音声情報として出力される。
【００３７】
また、第２処理系統はデジタルラジオ放送受信状態となる。アンテナ１で受けた放送局からの送信電波（放送波）の内、利用者により選択されている番組の放送波がフロントエンド部３で選局され、その選局信号が出力される。次に、選局信号が電波強度検知部５に入力され、選局信号のレベルを示すレベル信号が制御部１７に出力される。また、フロントエンド部３からの選局信号はデジタル復調部７でデジタル信号に復調され、デコーダ９でデジタルラジオ放送の信号が音声信号と映像信号にデコードされてセレクタ１２に入力される。セレクタ１２では、第２処理系統から出力された映像信号（データ放送の文字・静止画・簡易動画）と音声信号が選択されディスプレイとスピーカに出力される。従って、このモードでは、デジタルラジオ放送（ＶＩＣＳ情報非放送）を視聴しながら、ＶＩＣＳ情報を得て最新の交通情報を地図上に表示すること等が可能となる。
次に、前述の視聴モードの遷移について説明する。
【００３８】
［利用者による１２セグ放送選択状態］
利用者により１２セグ放送選択状態が選択されている場合、１２セグ放送が良好に視聴できる受信状態では１２セグ放送視聴モードＡとなる。また、この１２セグ放送選択状態で電波強度検出部４から出力されたレベル信号が低い場合、１２セグ放送視聴モードＢとなる。さらにレベル信号が低い状態では１セグ放送視聴モードＤとなる。つまり、放送波の受信レベルに応じて、１２セグ放送視聴モードＡ、１２セグ放送視聴モードＢ、１セグ放送視聴モードＤ間でモードが遷移することになる。
また、緊急放送検知部１６で緊急放送を検知した場合、１２セグ放送視聴モードＡ又は１２セグ放送視聴モードＢのとき、デジタルラジオ視聴モードＥに移行し、緊急放送を出力した後、再度元の１２セグ放送視聴モードＡ又はＢに復帰する。また、１セグ放送視聴モードＤのときには、デジタルラジオ視聴モードＦに移行し、緊急放送を出力した後、再度１セグ放送視聴モードＤに復帰する。
【００３９】
［利用者による１セグ放送選択状態］
利用者により１セグ放送選択状態が選択されている場合、前回利用者により選択された放送種別が１２セグ放送選択状態の場合、１セグ放送視聴モードＤとなる。また、前回デジタルラジオ放送選択状態の場合、１セグ放送の受信処理が行われている処理系統に応じて１セグ放送視聴モードＣ又は、１セグ放送視聴モードＤとなり、前回の放送選択状態に応じて、１セグ放送視聴モードを切替える。
また、緊急放送検知部１６で緊急放送を検知した場合、１セグ放送視聴モードＣのとき、デジタルラジオ視聴モードＥに移行し、緊急放送が出力された後、再度１セグ放送視聴モードＣに復帰する。また、１セグ放送視聴モードＤのときには、デジタルラジオ視聴モードＦに移行し、緊急放送が出力された後、再度１セグ放送視聴モードＤに復帰する。
【００４０】
〔利用者によるデジタルラジオ放送視聴選択状態〕
利用者によりデジタルラジオ放送選択状態が選択されている場合、前回利用者により選択された放送種別が１２セグ放送選択状態の場合、デジタルラジオ放送視聴モードＦとなり、１セグ放送選択状態の場合、ＶＩＣＳ放送の受信処理が行われている処理系統に応じてデジタルラジオ放送視聴モードＥ又は、デジタルラジオ放送視聴モードＦとなる。つまり、前回の放送選択状態に応じてデジタルラジオ放送視聴モードを切替える。
また、緊急放送検知部１６で緊急放送を検知した場合、同モードを継続し、緊急放送出力後も同モードを継続する。
【００４１】
また、第１処理系統又は第２処理系統でＶＩＣＳ放送を受信している場合、前回ＶＩＣＳ放送を受信してから一定時間以内であれば、ＶＩＣＳ放送の受信を停止する。
次に、上述の本発明の一実施例におけるデジタル音声放送機の動作を実現する処理について説明する。図２は、制御部１７が実行するデジタル放送受信機動作処理のメインルーチンを示すフローチャートで、利用者が操作部１５により視聴する放送種別を選択したときに、割込み処理として実行される。
【００４２】
ステップＭ１では、制御部１７に記憶されている、操作部により入力された放送種別が１２セグ放送、１セグ放送、デジタルラジオ放送かを判断し、１２セグ放送であれば１２セグ放送視聴処理ａに移行し、１セグ放送であれば１セグ放送視聴処理bに移行し、デジタルラジオ放送であればデジタルラジオ放送視聴処理ｃに移行する。
【００４３】
次に１２セグ放送視聴処理ａについて説明する。図３は、制御部１７が実行する１２セグ放送視聴処理ａを示すフローチャートで、前述メインルーチンから１２セグ放送視聴処理ａに移行すると処理が開始される。
【００４４】
ステップＳ１では、第１処理系統で１２セグ放送の受信・デコードを行うよう制御し、またセレクタ１２は第１処理系統側として、ステップＳ２に移る。ステップＳ２では、受信した１２セグ放送の電波から電波強度検波部４が出力したレベル信号を第１閾値と比較処理し、第１閾値よりもレベル信号が大きい場合、ステップＳ３に移り、小さい場合ステップＳ４に移る。
【００４５】
ステップＳ３では、第１処理系統で１２セグ放送の受信、デコードを行うよう制御し、第２処理系統でデジタルラジオ放送を受信し、ＶＩＣＳ情報を取得するように制御して、ステップＳ２に移る。ステップＳ４では、第１処理系統で１２セグ放送の受信、デコードを行うよう制御し、第２処理系統で１セグ放送の受信、デコードを行うように制御して、ステップＳ５に移る。ステップＳ５では、１２セグ放送の電波から電波強度検知部４が取得したレベル信号と第２閾値の比較処理を行い、第２閾値よりもレベル信号が大きい場合ステップＳ２に移り、小さい場合ステップＳ６に移る。ステップＳ６では、第１処理系統でデジタルラジオ放送を受信してＶＩＣＳ情報を取得するよう制御を行い、第２処理系統で１セグ放送の受信処理を行うように制御して、またセレクタ１２は第２処理系統側として、１セグ放送視聴処理ｂへ移行する。
【００４６】
尚、第１閾値はそれ以上の電波強度で１２セグ放送が良好に安定して受信できる状態、第２閾値はそれ未満の電波強度で１２セグ放送が良好には受信できない（１セグ放送の方が良好な画像・音声を得ることができる）状態の値で、第２閾値以上・第１閾値未満の状態では１２セグ放送の画像が時折乱れる等、品質が若干落ちる（良好な受信の安定感が欠ける）受信状態となる。このように、第１閾値、第２閾値と閾値を２つ設けることで、閾値を１つに設定した場合に起こる電波強度が閾値付近で揺れた場合の、頻繁な１２セグ放送／１セグ放送の切替えを防ぐことが出来る。また、１２セグ放送を受信している状態で電波強度が第１閾値未満・第２閾値以上の場合は、１セグ放送への切替え時の急激な画質悪化を避け、第２閾値未満になるまで１２セグ放送を続け、同様に１セグ放送を受信している状態で電波強度が第１閾値未満・第２閾値以上の場合は第１閾値以上になるまで１セグ放送を続ける。
【００４７】
尚、このフローチャートによる処理では、第２処理系統で１セグ放送受信かデジタルラジオ放送（ＶＩＣＳ放送）受信のどちらかを常に行っているが、最新のＶＩＣＳ情報（所定時間以内に取得したＶＩＣＳ情報）を記憶している場合や、利用者が第２処理系統での受信を停止する操作を行っている場合等に、第２処理系統での受信動作を停止しても構わない。
【００４８】
次に１セグ放送視聴処理ｂについて説明する。図４は、制御部１７が実行する１セグ放送視聴処理ｂを示すフローチャートで、前述のメインルーチンから１セグ放送視聴処理ｂに移行するか、１２セグ放送視聴処理ａから１セグ放送視聴処理ｂに移行すると処理が開始される。尚、動作中放送選択状態、第１・第２処理系統の動作状態等、各種状態については制御部１７の行う処理用の各種データを記憶するメモリ（処理用メモリ）に記憶され、そのデータによりどの放送選択状態かを判別できる。
【００４９】
ステップＲ１は、第１処理系統で１セグ放送を受信しているかの判断を行い、受信している場合ステップＲ２に移り、受信していない場合ステップＲ３に移る。ステップＲ２は、第１処理系統で１セグ放送の受信、デコードを行うよう制御し、第２処理系統でデジタルラジオ放送を受信してＶＩＣＳ情報を取得するよう制御を行い、またセレクタ１２は第１処理系統側として、ステップＲ１１に移る。ステップＲ３は、第１処理系統でデジタルラジオ放送を受信してＶＩＣＳ情報を取得するよう制御し、第２処理系統で１セグ放送の受信、デコードを行うよう制御を行い、またセレクタ１２は第２処理系統側として、ステップＲ１１に移る。ステップＲ１１は、制御部１７の処理用メモリに記憶されている１セグ放送を視聴する直前の前回放送選択状態を判別し、前回が１２セグ放送選択状態の場合ステップＲ１２に移り、ラジオ放送選択状態の場合ステップＲ２１に移る。
【００５０】
ステップＲ１２は、第１処理系統でＶＩＣＳ放送を受信しているかの判断を行い、受信している場合ステップＲ１８に移り、受信していない場合ステップＲ１３に移る。ステップＲ１３は、直近のＶＩＣＳ放送を受信してからの時間を計測し、第３閾値（ＶＩＣＳ情報が更新されるのに必要な時間で、例えば５分間）と比較処理し、第３閾値未満の場合ステップＲ１４に移り、第３閾値以上の場合ステップＲ１３を繰り返し、ＶＩＣＳ情報が確実に更新されるのを待つ。尚、時間計測は制御部１７の持つ計時機能（自走式カウンタ）を利用して計測することが可能で、具体的には道路交通情報の受信完了で実行される割込み処理によりカウンタをリセットすることで、直近のＶＩＣＳ放送を受信してからの時間を計測する。ステップＲ１４は、第１処理系統で１セグ放送の受信、デコードを行うよう制御し、第２処理系統で１セグ放送の受信、デコードを行うように制御し、またセレクタ１２は第１処理系統側として、ステップＲ１５に移る。
【００５１】
ステップＲ１５は、第２処理系統で１セグ放送が受信、出力できるかどうか判断し、出力出来る状態になればステップＲ１６に移り、出来ない状態であればステップＲ１５を繰り返す。つまり、１セグ放送はデコード等の処理が必要でデコード開始から映像や音声等が出力可能となる迄に時間がかかるため１セグ放送が受信、出力できる状態になるまで待機する。尚、出力可能かどうかの判断は、デコードＩＣからのデコード出力中信号を監視することや、デコードＩＣからのデコード出力信号の変化（デコード中の場合信号は変動する）を監視することで判断できる。
【００５２】
ステップＲ１６は、第１処理系統で１２セグ放送の受信、デコードを行うよう制御し、第２処理系統で１セグ放送の受信、デコードを行うよう制御し、またセレクタ１２は第２処理系統側として、ステップＲ１７に移る。ステップＲ１７は、直近のＶＩＣＳ放送を受信してからの時間を計測して第３閾値と比較処理し、第３閾値未満の場合ステップＲ１６に移り、第３閾値以上の場合ステップＲ１９に移る。ステップＲ１８は、直近の第１処理系統で受信しているＶＩＣＳ放送を受信してからの時間を計測して第３閾値と比較し、第３閾値未満の場合ステップＲ１６に移り、第３閾値以上の場合ステップＲ１９に移る。ステップＲ１９は、第１処理系統で１２セグ放送の受信、デコードを行うよう制御し、第２処理系統でデジタルラジオ放送を受信してＶＩＣＳ情報を取得するよう制御を行い、またセレクタ１２は第２処理系統側として、ステップＲ１８に移る。
【００５３】
ステップＲ２１は、直近のＶＩＣＳ放送を受信してからの時間を計測して第３閾値と比較処理し、第３閾値未満の場合ステップＲ２２に移り、第３閾値以上の場合ステップＲ２２に移る。以上の場合、ステップＲ２６に移る。ステップＲ２２は、第１処理系統でＶＩＣＳ放送を受信しているかの判断を行い、受信している場合ステップＲ２３に移り、受信していない場合ステップＲ２４に移る。ここでは、ＶＩＣＳ放送を受信している処理系統が第１処理系統又は第２処理系統かを判断している。ステップＲ２３は、第１処理系統でデジタルラジオ放送の受信、デコードを行うよう制御し、第２処理系統で１セグ放送の受信、デコードを行うよう制御し、またセレクタ１２は第２処理系統側として、ステップＲ２５に移る。
【００５４】
ステップＲ２４は、第１処理系統で１セグ放送の受信、デコードを行うよう制御し、第２処理系統でデジタルラジオ放送の受信、デコードを行うよう制御し、またセレクタ１２は第１処理系統側として、ステップＲ２５に移る。ステップＲ２５は、直近のＶＩＣＳ放送を受信してからの時間を計測して第３閾値と比較処理し、第３閾値未満の場合ステップＲ２５を繰り返してＶＩＣＳ放送が確実に更新されるのを待ち、第３閾値以上の場合ステップＲ２６に移る。ステップＲ２６は、第１処理系統で１セグ放送を受信しているかの判断を行い、受信している場合はステップＲ２７に移り、受信していない場合はステップＲ２８に移る。ここでは１セグ放送の受信状況を判断することで、ＶＩＣＳ放送を受信する処理系統を選択する処理に繋がる。
【００５５】
ステップＲ２７は、第１処理系統で１セグ放送を受信、デコードを行うよう制御し、第２処理系統でデジタルラジオ放送を受信してＶＩＣＳ情報を取得するよう制御を行い、またセレクタ１２は第１処理系統側として、ステップＲ２１に移る。ステップＲ２８は、第１処理系統でデジタルラジオ放送を受信し、ＶＩＣＳ情報を取得し、第２処理系統で１セグ放送を受信、デコードするよう制御を行い、またセレクタ１２は第２処理系統側として、ステップＲ２１に移る。
【００５６】
尚、ＶＩＣＳ放送は周期的（例えば、５分）に道路交通情報を更新して送信しており、頻繁に（例えば、１分毎）受信しても同様の内容であることが多く、受信する必要が無い。そこで、第３閾値とは、ＶＩＣＳ放送の情報更新周期に合わせ効率的に受信する取得周期（例えば情報更新周期の数倍）とする。また、ＶＩＣＳ放送の情報更新周期に基づき、直近のＶＩＣＳ放送を受信してからの時間を計測することにより、ＶＩＣＳ放送を受信する必要の無い間は、ＶＩＣＳ放送の受信を停止する。その代わりに他のコンテンツを受信することで放送選択状態の迅速な切替えができ、また受信動作の無駄を省くことができる。尚、後述に記載の内容においても同様の処理により効果を得ることができる。尚、このフローチャートによる処理では、常に２つの処理系統が受信動作を行っているが、最新のＶＩＣＳ情報（所定時間以内に取得したＶＩＣＳ情報）を記憶している場合や、利用者がその他のコンテンツの受信を停止する操作を行っている場合等に、１セグ放送を受信している処理系統のもう一方の処理系統の受信動作を停止しても良い。また、他のコンテンツとして、１２セグ放送やデジタルラジオ放送以外に、状況や利用者の操作に応じて１セグ放送を受信することも可能である。
【００５７】
次に、図示していないが、制御部１７が実行する１セグ放送視聴処理bから、１２セグ放送視聴処理ａへの復帰処理dについて説明する。１２セグ放送視聴処理ａから電波強度の悪化により１セグ放送視聴処理bに移行した場合、一定時間毎に割込み処理として、１２セグ放送の電波状況を確認し、電波状況が好転していれば（電波強度が第１閾値より大）第１処理系統を１２セグ放送を受信、デコードするよう制御を行い、またセレクタ１２は第１処理系統側とする処理が実行される。また、１２セグ放送視聴処理ａに移る。尚、各系統の状態については、制御部１７の処理用メモリへ状態遷移時にその状態を記憶し、その記憶内容を読み取ることにより遷移状態を監視することで可能である。
次にデジタルラジオ放送視聴処理ｃについて説明する。図５は、制御部１７が実行するデジタルラジオ放送視聴処理ｃを示すフローチャートで、前述メインルーチンからデジタルラジオ放送視聴処理ｃに移行するか、緊急放送検出部で緊急放送を検出されたときに処理が開始される。
【００５８】
ステップＰ１は、第１処理系統でデジタルラジオ放送を受信してＶＩＣＳ情報を取得しているかの判断を行い、受信している場合ステップＰ３に移り、受信していない場合ステップＰ２に移る。ステップＰ２は、第１処理系統でデジタルラジオ放送の受信、デコードを行うよう制御し、第２処理系統でデジタルラジオ放送を受信してＶＩＣＳ情報を取得するよう制御を行い、またセレクタ１２は第１処理系統側として、ステップＰ１１に移る。ステップＰ３は、第１処理系統でデジタルラジオ放送を受信してＶＩＣＳ情報を取得するよう制御し、第２処理系統でデジタルラジオ放送の受信、デコードを行うよう制御を行い、またセレクタ１２は第２処理系統側として、ステップＰ１１に移る。ステップＰ１１は、制御部１７の処理用メモリに記憶されているデジタルラジオ放送を視聴する直前の前回放送選択状態を判別し、前回が１２セグ放送選択状態の場合ステップＰ１２に移り、１セグ放送選択状態の場合ステップＰ２１に移る。
【００５９】
ステップＰ１２は、第１処理系統でＶＩＣＳ放送を受信しているかの判断を行い、受信している場合ステップＰ１８に移り、受信していない場合ステップＰ１３に移る。  ステップＰ１３は、直近の第１処理系統で受信しているＶＩＣＳ放送を受信してからの時間を計測して第３閾値と比較し、第３閾値未満の場合ステップＰ１４に移り、第３閾値以上の場合ステップＰ１３に移り、ＶＩＣＳ情報が確実に更新されるのを待つ。ステップＰ１４は、第１処理系統と第２処理系統でデジタルラジオ放送の受信、デコードを行うよう制御し、またセレクタ１２は第１処理系統側として、ステップＰ１５に移る。
【００６０】
ステップＰ１５は、第２処理系統でデジタルラジオ放送が受信、出力できるかどうか判断し、出力できる状態になればステップＰ１６に移り、できない状態であればステップＰ１５を繰り返す。つまり、デジタルラジオ放送はデコード等の処理が必要でデコード開始から音声等が出力可能となる迄に時間がかかるためデジタルラジオ放送が受信、出力できる状態になるまで待機する。尚、出力可能かどうかの判断は、デコードＩＣからのデコード出力中信号を監視することや、デコードＩＣからのデコード出力信号の変化（デコード中の場合信号は変動する）を監視することで判断できる。
【００６１】
ステップＰ１６は、第１処理系統で１２セグ放送の受信、デコードを行うよう制御し、第２処理系統でデジタルラジオ放送の受信、デコードを行うよう制御し、またセレクタ１２は第２処理系統側として、ステップＰ１７に移る。ステップＰ１７は、直近のＶＩＣＳ放送を受信してからの時間を計測して第３閾値と比較処理し、第３閾値未満の場合ステップＰ１６に移り、第３閾値以上の場合ステップＰ１９に移る。ステップＰ１８は、直近の第１処理系統で受信しているＶＩＣＳ放送を受信してからの時間を計測して第３閾値と比較し、第３閾値未満の場合ステップＰ１６に移り、以上の場合ステップＰ１９に移る。  ステップＰ１９は、第１処理系統でデジタルラジオ（ＶＩＣＳ情報放送局）を受信してＶＩＣＳ情報を取得し、第２処理系統でデジタルラジオ放送を受信するよう制御し、またセレクタ１２は第２処理系統側として、ステップＰ１８に移る。
【００６２】
ステップＰ２１は、直近のＶＩＣＳ放送を受信してからの時間を計測し、第３閾値と比較処理し、第３閾値未満の場合ステップＰ２２に移り、第３閾値以上の場合はステップＰ２６に移る。ステップＰ２２は、第１処理系統でＶＩＣＳ放送を受信しているかの判断を行い、受信している場合ステップＰ２３に移り、受信していない場合ステップＰ２４に移る。つまり、ＶＩＣＳ放送を受信している処理系統が第１処理系統又は第２処理系統かを判断している。ステップＰ２３は、第１処理系統で１セグ放送の受信、デコードを行うよう制御し、第２処理系統でデジタルラジオ放送の受信、デコードを行うよう制御し、またセレクタ１２は第２処理系統側として、ステップＰ２５に移る。ステップＰ２４は、第１処理系統でデジタルラジオ放送の受信、デコードを行うよう制御し、第２処理系統で１セグ放送の受信、デコードを行うよう制御し、またセレクタ１２は第１処理系統側として、ステップＰ２５に移る。
【００６３】
ステップＰ２５は、直近のＶＩＣＳ放送を受信してからの時間を計測し、第３閾値と比較処理し、第３閾値未満の場合ステップＰ２６に移り、第３閾値以上の場合、ステップＰ２５を繰り返し、ＶＩＣＳ情報が確実に更新されるのを待つ。ステップＰ２６は、第１処理系統でデジタルラジオ放送を受信しているかの判断を行い、受信している場合はステップＰ２７に移り、受信していない場合はステップＰ２８に移る。ステップＰ２７は、第１処理系統でデジタルラジオ放送を受信、デコードを行うよう制御し、第２処理系統でデジタルラジオ放送を受信し、ＶＩＣＳ情報を取得するように制御を行い、またセレクタ１２は第１処理系統側として、ステップＰ２１に移る。ステップＰ２８は、第１処理系統でデジタルラジオ放送を受信し、ＶＩＣＳ情報を取得するように制御を行い、第２処理系統でデジタルラジオ放送を受信、デコードを行うよう制御し、またセレクタ１２は第２処理系統側として、ステップＰ２１に移る。
【００６４】
図６は、制御部１７が実行する緊急放送割込み処理を示すフローチャートで、緊急放送検出部１６で緊急放送を検出すると割込みにより処理が開始される。
ステップＱ１は、デジタルラジオ放送を第１処理系統又は第２処理系統で受信をしているかの判断を行い、受信している場合はデジタルラジオ放送視聴処理cに移行し、受信していない場合はステップＱ２に移る。ステップＱ２は、第１処理系統で１２セグ放送を受信しているかの判断を行い、受信している場合はステップＱ３に移り、受信していない場合はステップＱ４に移る。ステップＱ３は、第１処理系統で１２セグ放送を受信、デコードを行うよう制御し、第２処理系統でデジタルラジオ放送を受信し、デコードを行うよう制御し、またセレクタ１２は第１処理系統側として、ステップＱ７に移る。ステップＱ４は、第１処理系統で１セグ放送を受信しているかの判断を行い、受信している場合はステップＱ５に移り、受信していない場合はステップＱ６に移る。
【００６５】
ステップＱ５は、第１処理系統で１セグ放送を受信、デコードを行うよう制御し、第２処理系統でデジタルラジオ放送を受信し、デコードを行うよう制御し、またセレクタ１２は第１処理系統側として、ステップＱ７に移る。ステップＱ６は、第１処理系統でデジタルラジオ放送を受信、デコードを行うよう制御し、第２処理系統で１セグ放送を受信、デコードを行うよう制御し、またセレクタ１２は第２処理系統側として、ステップＱ７に移る。つまり、ステップＱ２からステップＱ６の処理は、緊急放送を受ける前の放送選択状態を配慮し、前回放送選択状態が受信している主要のコンテンツを受信していない処理系統でデジタルラジオ放送を受信する。こうすることにより、緊急放送受信後は前回放送選択状態の主要コンテンツの受信を続けることができ、効率的に前回放送選択状態への復帰をすることができる。
【００６６】
ステップＱ７は、第１処理系統又は第２処理系統で受信しているデジタルラジオ放送が出力することができるかを判断し、出力できればデジタルラジオ放送視聴処理cに移り、出力できなければステップＱ７を繰り返す。つまり、デジタルラジオ放送はデコード等の処理が必要でデコード開始から出力可能となる迄に時間がかかるためデジタルラジオ放送が出力できる状態になるまで待機する。
【図１】
2010268107.tif 000003
【図２】
2010268107.tif 000004
【図３】
2010268107.tif 000005
【図４】
2010268107.tif 000006
【図５】
2010268107.tif 000007
【図６】
2010268107.tif 000008